(57)【要約】  【課題】  必要な金券情報を常時記憶しておくことのできる金券用セキュアシステムおよびセキュアデバイスを提供する。  【解決手段】  金券を発信する金券サーバ１１と金券サーバ１１から通信網１２を介して金券を受信する金券端末２とを備えるセキュアシステム１は、金券端末２が金券サーバ１１と通信網１２を介して通信する通信手段２１と、通信手段２１を介して受信した金券に関する情報である金券情報を管理する金券情報管理手段２２と、金券情報管理手段２２が管理する金券情報を選択し選択した金券情報を表示する選択表示手段２３とを含む。【選択図】  図１
2005301482.tif 000002
【特許請求の範囲】
【請求項１】
金券を発行する金券サーバと、前記金券サーバから通信網を介して前記金券を受信する金券端末とを備えるセキュアシステムであって、
前記金券端末が、前記金券サーバと前記通信網を介して通信する通信手段と、前記通信手段を介して受信した前記金券に関する情報である金券情報を管理する金券情報管理手段と、前記金券情報管理手段が管理する前記金券情報を選択し、選択した前記金券情報を表示する選択表示手段とを含むセキュアシステム。
【請求項２】
前記通信手段および前記選択表示手段が携帯電話で構成され、前記金券管理手段がセキュアデバイスで構成される請求項１に記載のセキュアシステム。
【請求項３】
前記通信手段および前記選択表示手段が専用端末で構成され、前記金券管理手段がセキュアデバイスで構成される請求項１に記載のセキュアシステム。
【請求項４】
通信網を介して受信した金券に関する情報である金券情報を管理するセキュアデバイスであって、
前記金券情報を記憶する金券情報記憶部と、前記金券情報記憶部に記憶されている前記金券情報を更新する金券情報更新部とを含むセキュアデバイス。
【請求項５】
前記金券情報記憶部が、前記金券の識別情報を記憶する識別情報記憶部と、所持している金券の枚数を記憶する所持枚数記憶部と、既に使用した金券の枚数を記憶する既使用枚数記憶部と、金券を使用した日時を記憶する使用日時記憶部とを含む請求項４に記載のセキュアデバイス。
【請求項６】
前記金券情報更新部が、金券が使用されるたびに、前記所持枚数記憶部に記憶されている所持枚数を減少する所持枚数更新部と、前記既使用枚数記憶部に記憶されている既使用枚数を増加する既使用枚数更新部とを含む請求項５に記載のセキュアデバイス。
【請求項７】
前記既使用枚数記憶部に記憶された既使用枚数が予め定められた予定使用枚数より多い金券の金券情報の取得指令を発生する金券情報取得指令発生部を含む請求項４に記載のセキュアデバイス。
【請求項８】
前記所持枚数記憶部に記憶された所持枚数が予め定められた要補充枚数より少ない金券の金券情報の補充指令を発生する金券情報補充指令発生部を含む請求項４に記載のセキュアデバイス。
【請求項９】
前記金券情報記憶部が、金券の使用場所を記憶する使用場所記憶部を含む請求項５に記載のセキュアデバイス。
【請求項１０】
前記使用場所で使用された金券が現在地で使用可能であるときに、その金券の金券情報の取得指令を発生する使用可能金券情報取得指令発生部を含む請求項９に記載のセキュアデバイス。
【請求項１１】
前記金券情報記憶部が、所有者のスケジュール情報を記憶するスケジュール情報記憶部を含む請求項５に記載のセキュアデバイス。
【請求項１２】
前記スケジュール情報記憶部に記憶されたスケジュール情報に基づいて、出向先で使用可能な金券の金券情報の取得指令を発生する使用可能金券情報取得指令発生部を含む請求項１１に記載のセキュアデバイス。
【発明の詳細な説明】
【技術分野】
【０００１】
本発明はセキュアシステムおよびセキュアデバイスに係り、特に、金券を常時蓄積しておくことのできるセキュアシステムおよびセキュアデバイスに関する。
【背景技術】
【０００２】
近年のコンピュータ技術および通信ネットワークの発展に伴い、商品または役務（以下まとめて商品と記す）の提供を受ける際の代金の支払いにも電子貨幣を使用することができるようになっている。
【０００３】
電子貨幣にもいくつかの種類が存在するが、現金情報を記憶したＩＣカードのようなセキュアデバイスが最も広く使用されている。
【０００４】
この種の電子貨幣では、現金自動預入支払機を使用して預金口座から現金を引き出して残高を更新し、この残高の範囲で商品を購入することが可能である。
【０００５】
しかし、商品購入の際に、商品の価格以上の残高がなければ、セキュアデバイスを使用して支払いをすることは不可能となる。
【０００６】
この課題を解決するために、商品購入の際に残高が不足している場合には、クレジット会社から融資受けて残高を確保する機能を付加した電子貨幣入金システムが既に提案されている（例えば特許文献１参照）。
【特許文献１】特開２００２−３６６８６２号公報（［００１５］、図１）
【発明の開示】
【発明が解決しようとする課題】
【０００７】
しかしながら、従来の電子貨幣入金システムには、契約期限切れ等の理由で与信を受けることができない場合には残高を確保できないだけでなく、クレジット会社に利子をつけて借入金を返却する必要がある。
【０００８】
他方、近年インターネット上には、促販のために金券を掲載するサイトが増加している。
【０００９】
例えば、ホテル等の宿泊施設を検索する際に、宿泊施設のサイト内で「この頁を印刷してご持参くだされば、宿泊費を５％割引させていただきます。」という表示を見かけるが、当該頁の印刷物はそれ自体金券として機能し、支払いの一部に充当することが可能である。
【００１０】
本発明は、上記状況に鑑みなされたものであって、使用可能な金券情報を常時記憶しておき支払いに充当することのできる金券用セキュアシステムおよびセキュアデバイスを提供することを目的とする。
【課題を解決するための手段】
【００１１】
本発明のセキュアシステムは、金券を発行する金券サーバと、前記金券サーバから通信網を介して前記金券を受信する金券端末とを備えるセキュアシステムであって、前記金券端末が、前記金券サーバと前記通信網を介して通信する通信手段と、前記通信手段を介して受信した前記金券に関する情報である金券情報を管理する金券情報管理手段と、前記金券情報管理手段が管理する前記金券情報を選択し、選択した前記金券情報を表示する選択表示手段とを含む構成を有している。
【００１２】
この構成により、金券を金券情報管理手段であるセキュアデバイスに常時蓄積しておくことができることとなる。
【００１３】
本発明のセキュアシステムは、前記通信手段および前記選択表示手段が携帯電話で構成され、前記金券管理手段がセキュアデバイスで構成される。
【００１４】
この構成により、携帯電話とセキュアデバイスとを組み合わせることにより金券端末が構成されることとなる。
【００１５】
本発明のセキュアシステムは、前記通信手段および前記選択表示手段が専用端末で構成され、前記金券管理手段がセキュアデバイスで構成される。
【００１６】
この構成により、専用端末とセキュアデバイスとを組み合わせることにより金券端末が構成されることとなる。
【００１７】
本発明のセキュアデバイスは、通信網を介して受信した金券に関する情報である金券情報を管理するセキュアデバイスであって、前記金券情報を記憶する金券情報記憶部と、前記金券情報記憶部に記憶されている前記金券情報を更新する金券情報更新部とを含む構成を有している。
【００１８】
この構成により、セキュアデバイスは金券情報を記憶し更新できることとなる。
【００１９】
本発明のセキュアデバイスは、前記金券情報記憶部が、前記金券の識別情報を記憶する識別情報記憶部と、所持している金券の枚数を記憶する所持枚数記憶部と、既に使用した金券の枚数を記憶する既使用枚数記憶部と、金券を使用した日時を記憶する使用日時記憶部とを含む構成を有している。
【００２０】
この構成により、セキュアデバイスは金券の識別情報、所持枚数、既使用枚数、および使用日時を記憶できることとなる。
【００２１】
本発明のセキュアデバイスは、前記金券情報更新部が、金券が使用されるたびに、前記所持枚数記憶部に記憶されている所持枚数を減少する所持枚数更新部と、前記既使用枚数記憶部に記憶されている既使用枚数を増加する既使用枚数更新部とを含む構成を有している。
【００２２】
この構成により、金券が使用されるたびに金券の所持枚数および既使用枚数が更新されることとなる。
【００２３】
本発明のセキュアデバイスは、前記既使用枚数記憶部に記憶された既使用枚数が予め定められた予定使用枚数より多い金券の金券情報の取得指令を発生する金券情報取得指令発生部を含む構成を有している。
【００２４】
この構成により、使用頻度の高い金券が自動的に取得されることとなる。
【００２５】
本発明のセキュアデバイスは、前記所持枚数記憶部に記憶された所持枚数が予め定められた要補充枚数より少ない金券の金券情報の補充指令を発生する金券情報補充指令発生部を含む構成を有している。
【００２６】
この構成により、所持枚数が少ない金券が自動的に取得されることとなる。
【００２７】
本発明のセキュアデバイスは、前記金券情報記憶部が、金券の使用場所を記憶する使用場所記憶部を含む構成を有している。
【００２８】
この構成により、金券の使用場所が記憶されることとなる。
【００２９】
本発明のセキュアデバイスは、前記使用場所で使用された金券が現在地で使用可能であるときに、その金券の金券情報の取得指令を発生する使用可能金券情報取得指令発生部を含む構成を有している。
【００３０】
この構成により、現在地で使用できる金券が自動的に取得されることとなる。
【００３１】
本発明のセキュアデバイスは、前記金券情報記憶部が、所有者のスケジュール情報を記憶するスケジュール情報記憶部を含む構成を有している。
【００３２】
この構成により、スケジュールが記憶されることとなる。
【００３３】
本発明のセキュアデバイスは、前記スケジュール情報に基づいて、出向先で使用可能な金券の金券情報の取得指令を発生する使用可能金券情報取得指令発生部を含む構成を有している。
【００３４】
この構成により、出向先で使用できる金券が自動的に取得されることとなる。
【発明の効果】
【００３５】
本発明は、金券サーバから金券情報を取得し記憶することのできるセキュアデバイスを使用することにより、使用可能な金券情報を常時記憶し、支払いに充当することが可能となる。
【発明を実施するための最良の形態】
【００３６】
以下、本発明に係るセキュアシステムの実施形態について、図面を用いて説明する。
【００３７】
本発明のセキュアシステムのブロック線図を図１に示す。
【００３８】
図１において、金券を発信する金券サーバ１１と金券サーバ１１から通信網１２を介して金券を受信する金券端末２とを備えるセキュアシステム１は、金券端末２が金券サーバ１１と通信網１２を介して通信する通信手段２１と、通信手段２１を介して受信した金券に関する情報である金券情報を管理する金券情報管理手段２２と、金券情報管理手段２２が管理する金券情報を選択し選択した金券情報を表示する選択表示手段２３とを含む。
【００３９】
図２は、本発明の金券用セキュアシステムの１つの実施形態であって、通信手段２１および選択表示手段２３として携帯電話３１を使用し、金券管理手段２２は携帯電話３１に装着されるセキュアデバイス３２で構成される。この場合、携帯電話３１は携帯電話局３３を介して通信網１２に接続される。
【００４０】
そして、携帯電話３１が有するインターネットへの接続機能が通信手段２１として機能し、携帯電話３１の押しボタンおよびディスプレイが選択表示手段２３として機能する。
【００４１】
なお、通信手段２１および選択表示手段２３は、携帯電話でなく、無線または有線で金券サーバ１１に接続される専用端末であってもよい。
【００４２】
図１および図２に示すように、セキュアデバイス３２内に構成される金券情報を管理する金券情報管理手段２２は、金券情報を記憶する金券情報記憶部２２１と金券情報記憶部２２１に記憶されている金券情報を更新する金券情報更新部２２２とを含む。
【００４３】
セキュアデバイス３２は、図３に示すように、バス３２０を中心としてプログラムに従い処理を実行するＣＰＵ３２１と、処理プログラムを記憶するメモリ３２２と、携帯電話３３または専用端末とデータ授受を行うデータ授受インターフェイス３２３と、ＣＰＵ３２１、メモリ３２２およびデータ授受インターフェイス３２３に電力を供給する電源３２４とを含む。
【００４４】
なお、電源３２４はバッテリであっても、携帯電話３３または専用端末から有線あるいは無線により供給される電力を蓄積するコンデンサであってもよい。
【００４５】
そして、メモリ３２２は金券情報記憶部２２１として機能し、ＣＰＵ３２１およびメモリ３２２は金券情報更新部２２２として機能する。
【００４６】
次に、本発明に係る金券用セキュアシステムの動作について説明する。なお、以下の説明において、通信手段２１および選択表示手段２３として携帯電話３１を使用し、金券情報管理手段２２であるセキュアデバイス３２は携帯電話３１のスロットに装着されるものとする。
【００４７】
まず、本発明に係るセキュアシステムの基本動作について説明する。
【００４８】
セキュアシステムの基本動作中の金券取得動作を図４に示す動作図に基づいて説明する。
【００４９】
最初に、携帯電話３１をインターネットに接続して金券を提供しているサイトにアクセスし、携帯電話３１から金券サーバ１１に対して金券の発行を要求する（ステップＳ４１）。
【００５０】
金券サーバ１１はこの金券要求に対して金券を発行するが、この金券は携帯電話３１を介してセキュアデバイス３２にダウンロードされ、セキュアデバイス３２のメモリに金券情報の一部として記憶される（ステップＳ４２）。
【００５１】
セキュアデバイス３２は、金券を取得すると、更新ルーチンを実行するが、詳細は後述する。
【００５２】
セキュアデバイス３２が更新ルーチンを実行して金券情報を出力する（ステップＳ４３）と、携帯電話３１はこの金券情報をディスプレイに表示する。
【００５３】
図５はセキュアデバイス３２が実行する更新ルーチンのフローチャートであって、セキュアデバイス３２は金券を取得する（ステップＳ５１）と、この金券を既に取得済みであるか否かを判定する（ステップＳ５２）。
【００５４】
セキュアデバイス３２は、ステップＳ５２で過去に取得していないと判定したときは、既に使用したこの金券の枚数である既使用枚数を零に設定して（ステップＳ５３）、今回取得した金券の枚数で所持枚数を更新する（ステップＳ５４）。
【００５５】
セキュアデバイス３２は、ステップＳ５２で過去に取得していると判定したときは、既使用枚数は更新せずに、所持枚数だけを現在の所持枚数に今回取得した枚数を加算した枚数で更新する（ステップＳ５４）。
【００５６】
最後に、セキュアデバイス３２は金券情報を出力（ステップＳ５５）して更新ルーチンを終了する。
【００５７】
図６は金券情報の携帯電話３１のディスプレイへの表示例であって、金券識別番号、既使用枚数、所持枚数、最終使用日、使用可能地域等の情報が表示される。なお、使用可能地域情報の使用方法については後述する。
【００５８】
次に、図７を参照しつつ、基本動作中の金券の払い出し動作について説明する。
【００５９】
携帯電話３１のディスプレイに表示された金券情報の中から払い出すべき金券が特定されると、携帯電話３１はセキュアデバイス３２に金券払い出し要求を出力する（ステップＳ７１）。
【００６０】
セキュアデバイス３２は、金券払い出し要求を受信すると払い出しルーチンを実行して金券を払い出すが、払い出しルーチンの詳細は後述する。
【００６１】
なお払い出された金券は、携帯電話３１のディスプレイに表示され、
セキュアデバイス３２は払い出しルーチンを実行した結果、金券を取得する必要があるときは、携帯電話３１を介して金券サーバ１１に金券の発行を要求する（ステップＳ７２）。
【００６２】
セキュアデバイス３２は金券サーバ１１から金券を取得して更新ルーチンを取得するが、この処理は既に説明したので、ここでの説明を省略する。
【００６３】
図８はセキュアデバイス３２が実行する払い出しルーチンのフローチャートであって、セキュアデバイス３２は金券の払い出し要求があるか否かを判定し（ステップＳ８１）、払い出し要求があるときは該当する金券を携帯電話３１に払い出す（ステップＳ８２）。
【００６４】
そして、セキュアデバイス３２はセキュアデバイス３２のメモリ３２２に記憶されている既使用枚数を１枚インクリメントし（ステップＳ８３）、同じくメモリ３２２に記憶されている所持枚数を１枚デクリメントして（ステップＳ８４）、ステップＳ８５に進む。
【００６５】
セキュアデバイス３２はステップＳ８１で金券払い出し要求がないと判断したときは、ステップＳ８２からステップＳ８４までの処理を実行せずに、直接ステップＳ８５に進む。
【００６６】
セキュアデバイス３２は、既使用枚数が予め定めた予定使用枚数より多いかを判定し（ステップＳ８５）、多いと判定したときは使用頻度の高い金券であるとして金券の発行要求を出力する（ステップＳ８６）。
【００６７】
セキュアデバイス３２が、既使用枚数が予め定めた予定使用枚数より少ないと判定したときは、所持枚数が予め定めた要補充枚数より少ないか否かを判定する（ステップＳ８７）。
【００６８】
セキュアデバイス３２は、ステップＳ８７で所持枚数が予め定めた要補充枚数より少ないと判定したときは、その金券を補充するために金券の発行要求を出力する（ステップＳ８６）。
【００６９】
一方、ステップＳ８７で所持枚数が予め定めた要補充枚数より多いと判定したときはまだ補充は不要であるとして、直ちにこのルーチンの実行を終了する。
【００７０】
上記の基本動作によれば、携帯電話３１とセキュアデバイス３２とを組み合わせて金券端末を構成することにより、使用頻度の高い金券および所持枚数の少ない金券を自動的に取得してセキュアデバイス３２中に常時金券を記憶しておくことが可能となる。
【００７１】
以上は本発明に係る金券用セキュアシステムの基本動作であるが、基本動作に種々の応用動作を追加することが可能である。
【００７２】
図９は、携帯電話３１で現在地を確認できるときに現在地で使用可能な金券を取得する機能を追加した場合の動作図である。
【００７３】
携帯電話３１で現在地情報を取得する方法としては、携帯電話３１のＧＰＳ機能を使用する方法、携帯電話３１が交通機関の運賃支払い機能を有する場合には最終出札から所定時間が経過したときは最終出札駅の所在地を現在地とする方法等がある。
【００７４】
携帯電話３１は取得した現在地情報をセキュアデバイス３２に伝送し（ステップＳ９１）、現在地情報を受信したセキュアデバイス３２は現在地ルーチンを実行するが、現在地ルーチンの詳細は後述する。
【００７５】
現在地ルーチンで金券発行要求が発生したときには、金券サーバ１１に金券発行を要求する（ステップＳ７２）が、ステップＳ７２以下の処理については既に説明済であるのでここでの説明は省略する。
【００７６】
図１０は、セキュアデバイス３２が実行する現在地ルーチンのフローチャートであって、現在地情報を受信したとき（ステップＳ１０１）は、現在地で使用可能な金券を所持しているか否かを判定する（ステップＳ１０２）。
【００７７】
セキュアデバイス３２は、現在地で使用可能な金券を所持していないと判定したときには金券発行を要求する（ステップＳ１０３）。
【００７８】
セキュアデバイス３２は、現在地で使用可能な金券を所持していると判定したときは直接このルーチンを終了する。
【００７９】
以上のように、セキュアデバイス３２中に現在地情報を記憶することにより、現在地で使用可能な金券を自動的に取得し、セキュアデバイス３２中に記憶することが可能となる。
【００８０】
図１１は、携帯電話３１でスケジュールを管理できるときに、出向先で使用可能な金券を取得する機能を追加した場合の動作図である。
【００８１】
携帯電話３１は、スケジュール情報をセキュアデバイス３２に伝送し（ステップＳ１１１）、スケジュール情報を受信したセキュアデバイス３２はスケジュールルーチンを実行する。
【００８２】
スケジュールルーチンで金券発行要求が発生したときには、金券サーバ１１に金券発行を要求する（ステップＳ７２）が、ステップＳ７２以下の処理については既に説明済であるのでここでの説明は省略する。
【００８３】
図１２は、セキュアデバイス３２が実行するスケジュールルーチンのフローチャートであって、スケジュール情報を受信したとき（ステップＳ１２１）は、出向先で使用可能な金券を所持しているか否かを判定する（ステップＳ１２２）。
【００８４】
セキュアデバイス３２は、出向先で使用可能な金券を所持していないと判定したときは金券発行を要求する（ステップＳ１２３）。
【００８５】
セキュアデバイス３２は、出向先で使用可能な金券を所持しているときは直接このルーチンを終了する。
【００８６】
以上のように、セキュアデバイス３２中にスケジュール情報を記憶することにより、スケジュールに従った出向先で使用可能な金券を自動的に取得し、セキュアデバイス３２中に記憶することが可能となる。
【産業上の利用可能性】
【００８７】
以上のように、本発明に係るセキュアシステムおよびセキュアデバイスは金券情報を常時蓄積しておくことができるという効果を有し、セキュアシステムおよびセキュアデバイス等として有効である。
【図面の簡単な説明】
【００８８】
【図１】本発明の金券用セキュアシステムのブロック図
【図２】本発明の実施の形態における金券用セキュアシステムのブロック図
【図３】本発明の金券用セキュアデバイスのブロック図
【図４】本発明の実施の形態における金券用セキュアシステムの金券取得動作フローチャート
【図５】本発明の金券用セキュアデバイスが実行する更新ルーチンのフローチャート
【図６】本発明の金券用セキュアデバイスの金券情報の記憶状態図
【図７】本発明の実施の形態における金券用セキュアシステムの金券払い出し動作フローチャート
【図８】本発明の金券用セキュアデバイスが実行する払い出しルーチンのフローチャート
【図９】本発明の実施の形態における金券用セキュアシステムの現在地情報に基づく金券取得動作フローチャート
【図１０】本発明の金券用セキュアデバイスが実行する現在地ルーチンのフローチャート
【図１１】本発明の実施の形態における金券用セキュアシステムのスケジュール情報に基づく金券取得動作フローチャート
【図１２】本発明の金券用セキュアデバイスが実行するスケジュールルーチンのフローチャート
【符号の説明】
【００８９】
１  セキュアシステム
１１  金券サーバ
１２  通信網
２  金券端末
２１  通信手段
２２  金券情報管理手段
２２１  金券情報記憶部
２２２  金券情報更新部
２３  選択表示手段
【図１】
2005301482.tif 000003
【図２】
2005301482.tif 000004
【図３】
2005301482.tif 000005
【図４】
2005301482.tif 000006
【図５】
2005301482.tif 000007
【図６】
2005301482.tif 000008
【図７】
2005301482.tif 000009
【図８】
2005301482.tif 000010
【図９】
2005301482.tif 000011
【図１０】
2005301482.tif 000012
【図１１】
2005301482.tif 000013
【図１２】
2005301482.tif 000014